(57)【要約】【課題】ハガキや封筒等の郵便物の宛名面に印刷した画像と文字情報とが重なっても、文字情報を視認し易くすることができる印刷制御装置、印刷装置及び印刷制御プログラムを提供する。【解決手段】コンピューターは、入力された住所及び宛名を含む文字情報を宛名面領域に配置し（Ｓ１１）、選択された画像を宛名面領域に配置する（Ｓ１２）。画像は、例えば背景として文字情報と重なるように配置される。コンピューターの画像処理部は、画像に印刷濃度を薄くする画像処理を施す（Ｓ１４，Ｓ１７）。この画像処理は、例えばトーンカーブ補正処理により行われる。宛名面領域に配置された画像処理後の画像と文字情報とを含む宛名面データに基づいて印刷用データを生成する（Ｓ１８）。【選択図】図８
2015104821.tif 000002
【特許請求の範囲】
【請求項１】
郵便物の宛名面に住所及び宛名を含む文字情報と画像とを印刷するための印刷用データを生成する印刷制御装置であって、
入力された前記文字情報を記憶部における前記宛名面に対応する宛名面領域に配置する文字配置部と、
選択された画像を前記宛名面領域に配置する画像配置部と、
前記画像に印刷濃度を薄くする画像処理を施す画像処理部と、
前記宛名面領域に配置された前記画像処理後の画像と前記文字情報とを含む宛名面データに基づいて印刷用データを生成する生成部と、
を備えたことを特徴とする印刷制御装置。
【請求項２】
前記画像処理部は、前記画像処理としてトーンカーブ補正処理を行うことを特徴とする請求項１に記載の印刷制御装置。
【請求項３】
前記画像処理部は、前記郵便物の媒体色と同系色のマスク画像を所定の透過率で作成し、当該マスク画像を前記画像と当該画像の視方向上流側の層に配置された前記文字情報との間の層に配置することで、前記画像処理を行うことを特徴とする請求項１に記載の印刷制御装置。
【請求項４】
前記画像処理部は、前記宛名面領域に配置された前記文字情報を構成する文字が前記画像と重なる場合、前記画像における前記文字を含む文字領域と重なる部分については、前記画像における前記文字領域と重ならない部分よりも印刷濃度を薄くする第２の画像処理を施すことを特徴とする請求項１乃至３のいずれか一項に記載の印刷制御装置。
【請求項５】
前記画像処理部は、前記第２の画像処理をトーンカーブ補正処理により行うことを特徴とする請求項４に記載の印刷制御装置。
【請求項６】
前記画像処理部は、前記第２の画像処理として、前記文字領域の前記重なる部分と略同形状・略同サイズかつ前記郵便物の媒体色と同系色のマスク画像を所定の透過率で作成し、当該マスク画像を、前記画像と当該画像の視方向上流側の層に配置される前記文字情報との間の層であって、前記画像における前記文字領域と重なる部分と対応する位置に配置することを特徴とする請求項４に記載の印刷制御装置。
【請求項７】
前記トーンカーブ補正処理で用いられるトーンカーブは、補正前の画像の明度の全域で、補正後の画像の明度が零より大きい一定の閾値以上に設定され、補正前の画像の明度の最低値寄りの一部の範囲において補正後の画像の明度が前記閾値に設定され、且つ前記最低値寄りの一部よりも明度が高い範囲においては、補正前の画像の明度が大きいほど、補正後の画像の明度が大きくなるよう設定されていることを特徴とする請求項２又は５に記載の印刷制御装置。
【請求項８】
前記トーンカーブ補正処理で用いられるトーンカーブは、補正前の画像の明度の全域において、補正後に零より大きい閾値以上の値をとり、且つ補正前の画像の明度が大きいほど、補正後の画像の明度が大きくなるよう設定されていることを特徴とする請求項２又は５に記載の印刷制御装置。
【請求項９】
前記印刷用データは印刷データであって、請求項１乃至８のいずれか一項に記載の印刷制御装置と、前記印刷データに基づき前記画像処理後の画像を背景として文字情報が配置された宛名面情報を印刷する印刷部とを備えたことを特徴とする印刷装置。
【請求項１０】
郵便物の宛名面に住所及び宛名を含む文字情報と画像とを印刷する印刷用データを生成するためにコンピューターに実行させる印刷制御プログラムであって、
入力された前記文字情報を記憶部における前記宛名面に対応する宛名面領域に配置する文字配置ステップと、
選択された画像を前記宛名面領域に配置する画像配置ステップと、
前記画像に印刷濃度を薄くする画像処理を施す画像処理ステップと、
前記宛名面領域に配置された前記画像処理後の画像と前記文字情報とを含む宛名面データに基づいて印刷用データを生成する生成ステップと、
を備えたことを特徴とする印刷制御プログラム。
【発明の詳細な説明】
【技術分野】
【０００１】
本発明は、ハガキや封筒等の郵便物の宛名面に画像を印刷する印刷制御装置、印刷装置及び印刷制御プログラムに関する。
【背景技術】
【０００２】
例えば特許文献１には、顧客情報に基づく宛名情報を文字情報ファイルから引き出し、宛名情報に対応する顧客固有の絵柄情報をイメージ情報ファイルから引き出し、宛名及び絵柄を封筒に印刷する封筒作成システムが開示されている。
【先行技術文献】
【特許文献】
【０００３】
【特許文献１】特開平５−３１９４３９号公報
【発明の概要】
【発明が解決しようとする課題】
【０００４】
しかしながら、特許文献１に記載の封筒作成システムでは、宛名面に画像を印刷すると、文字と画像とが重なった部分では、文字が見えにくくなるという課題がある。なお、このような課題は、封筒に限らず、ハガキなど、宛名面を有する郵便媒体でも同様に成り立つ。
【０００５】
本発明は、上記課題を解決するためになされたものであり、その目的は、ハガキや封筒等の郵便物の宛名面に印刷した画像と文字情報とが重なっても、文字情報を視認し易くすることができる印刷制御装置、印刷装置及び印刷制御プログラムを提供することにある。
【課題を解決するための手段】
【０００６】
以下、上記課題を解決するための手段及びその作用効果について記載する。
上記課題を解決する印刷制御装置は、郵便物の宛名面に住所及び宛名を含む文字情報と画像とを印刷する印刷データを生成する印刷制御装置であって、入力された前記文字情報を記憶部における前記宛名面に対応する宛名面領域に配置する文字配置部と、選択された画像を前記宛名面領域に配置する画像配置部と、前記画像に印刷濃度を薄くする画像処理を施す画像処理部と、前記宛名面領域に配置された前記画像処理後の画像と前記文字情報とを含む宛名面データに基づいて印刷用データを生成する生成部と、を備えている。なお、印刷用データとは、印刷に用いられる印刷データでもよいし、印刷結果を事前に確認する表示を目的とするプレビューデータでもよい。ここで、印刷濃度とは、郵便物の宛名面に印刷された画像の濃度を指し、例えば印刷濃度が薄くなるほど印刷ドットの密度が小さくなる。
【０００７】
この構成によれば、入力された文字情報は宛名面領域に配置され、選択された画像は宛名面領域に配置される。画像には印刷濃度を薄くする画像処理が施される。そして、宛名面領域に配置された画像処理後の画像と文字情報とを含む宛名面データに基づいて印刷用データが生成される。この結果、例えば印刷用データが印刷データである場合は、印刷データに基づいて郵便物の宛名面に画像と文字情報とが印刷された場合、画像は薄い印刷濃度で印刷されるため、仮に住所や宛名等の文字情報と画像とが重なっても、文字情報は視認し易い。一方、例えば、印刷用データがプレビューデータである場合は、このプレビューデータに基づいて宛名面情報を表示部に表示した場合、仮に住所や宛名等の文字情報と画像とが重なっても、文字情報が視認し易いかどうかを印刷前に事前に確認することができる。なお、画像処理において印刷濃度を薄くする部分は、画像の全体でもよいし、画像と文字情報とが重なった部分又はこの部分を含む領域など画像の一部であってもよい。
【０００８】
また、上記印刷制御装置において、前記画像処理部は、前記画像処理としてトーンカーブ補正処理を行うことが好ましい。
この構成によれば、画像に画像処理としてトーンカーブ補正処理が施され、画像の明度が高くされることにより、画像の印刷濃度を薄くすることができる。トーンカーブ補正なので、印刷濃度の設定や変更がし易い。
【０００９】
また、上記印刷制御装置において、前記画像処理部は、前記郵便物の媒体色と同系色のマスク画像を所定の透過率で作成し、当該マスク画像を前記画像と当該画像の視方向上流側の層に配置された前記文字情報との間の層に配置することで、前記画像処理を行うことが好ましい。
【００１０】
この構成によれば、郵便物の媒体色と同系色で所定の透過率を有するマスク画像が、画像と当該画像の視方向上流側の層に配置された文字情報との間の層に配置されることで、画像処理が行われる。このため、この画像処理後の画像は印刷したときに薄い印刷濃度で宛名面に印刷される。画像をマスク画像で覆うだけなので、画像に特別な画像処理を施すことなく、比較的簡単に印刷濃度を薄くすることができる。
【００１１】
上記印刷制御装置において、前記画像処理部は、前記宛名面領域に配置された前記文字情報を構成する文字が前記画像と重なる場合、前記画像における前記文字を含む文字領域と重なる部分については、前記画像における前記文字領域と重ならない部分よりも印刷濃度を薄くする第２の画像処理を施すことが好ましい。
【００１２】
この構成によれば、宛名面領域に配置された文字情報を構成する文字が画像と重なる場合、画像における文字を含む文字領域と重なる部分については、画像における文字領域と重ならない部分よりも印刷濃度が薄くされる。よって、文字情報のうち画像と重なった文字が更に視認し易くなる。
【００１３】
また、上記印刷制御装置において、前記画像処理部は、前記第２の画像処理をトーンカーブ補正処理により行うことが好ましい。
この構成によれば、画像における前記文字領域と重なる部分に、更に施される印刷濃度を薄くする画像処理をトーンカーブ補正により行われる。よって、文字情報の画像と重なった部分が更に視認し易くなるうえ、印刷濃度の設定及び変更がし易い。
【００１４】
さらに上記印刷制御装置において、前記画像処理部は、前記第２の画像処理として、前記文字領域の前記重なる部分と略同形状・略同サイズかつ前記郵便物の媒体色と同系色のマスク画像を所定の透過率で作成し、当該マスク画像を、前記画像と当該画像の視方向上流側の層に配置される前記文字情報との間の層であって、前記画像における前記文字領域と重なる部分と対応する位置に配置することが好ましい。
【００１５】
この構成によれば、第２の画像処理は、文字領域の重なる部分と略同形状・同サイズかつ郵便物の媒体色と同系色のマスク画像が所定の透過率で作成され、このマスク画像が、画像と文字情報との間の層における画像の文字領域と重なる部分と対応する位置に配置されることにより行われる。よって、文字情報における画像と重なった部分が更に視認し易くなる。また、画像の上にマスク画像を配置する構成なので、画像に特別な画像処理を施す必要がない。例えば画像処理後に元の画像に戻す処理も比較的簡単に行うことができる。
【００１６】
上記印刷制御装置において、前記トーンカーブ補正処理で用いられるトーンカーブは、補正前の画像の明度の全域で、補正後の画像の明度が零より大きい一定の閾値以上に設定され、補正前の画像の明度の最低値寄りの一部の範囲において補正後の画像の明度が前記閾値に設定され、且つ前記最低値寄りの一部よりも明度が高い範囲においては、補正前の画像の明度が大きいほど、補正後の画像の明度が大きくなるよう設定されていることが好ましい。なお、トーンカーブは、補正前の画像の明度の変化量に対する補正後の画像の明度の変化量を示す変化率が、補正前の画像の明度の大きさによらず一定となる直線、補正前の画像の明度が大きくなるに連れて上記変化率が徐々に小さくなる上に凸の曲線、補正前の画像の明度が大きくなるに連れて上記変化率が徐々に大きくなる下に凸の曲線でもよい。
【００１７】
この構成によれば、画像に対してトーンカーブに基づいてトーンカーブ補正処理が施されると、補正前の画像における明度の最低値寄りの部分が、補正後に、零より大きい一定の閾値に補正される。よって、補正前の画像における明度の最低値寄りの部分（暗い部分）を含む画像の全体が、一定の閾値以上の印刷濃度となる淡い画像に補正することができる。また、前記最低値寄りの部分よりも明度が大きい部分においては、補正前の画像の明度が大きいほど、補正後の画像の明度が大きくなるよう設定されている。このため、トーンカーブ補正処理によって、淡いながらも補正前の画像の明度が反映された画像が得られる。例えば、補正前の画像の暗部（明度の最低値寄りの部分）以外で、補正前の画像の明度が反映されることで、補正後の画像に淡いながらも元の絵柄が反映され易い。
【００１８】
また、上記印刷制御装置において、前記トーンカーブ補正処理で用いられるトーンカーブは、補正前の画像の明度の全域において、補正後に零より大きい閾値以上の値をとり、且つ補正前の画像の明度が大きいほど、補正後の画像の明度が大きくなるよう設定されていることが好ましい。
【００１９】
この構成によれば、補正後の画像はその全域で明度が閾値以上あり、補正前の画像に対して、補正前の画像の明度が大きくなるほど、補正後の画像の明度が大きくなるようにトーンカーブ補正処理が施されるので、画像の全域で印刷濃度を薄くすることができるうえ、補正前の画像の明度が反映された補正後の画像を得ることができる。例えば、補正前の画像の明度が反映されることで、補正後の画像に淡いながらも元の絵柄が反映され易い。
【００２０】
また、上記課題を解決する印刷装置は、前記印刷用データが印刷データであって、上記の印刷制御装置と、前記印刷データに基づき前記画像処理後の画像を背景として文字情報が配置された宛名面情報を印刷する印刷部とを備えている。この構成によれば、郵便物の宛名面に、画像処理後の印刷濃度の薄い画像を背景として文字情報が配置された宛名面情報を印刷することができる。
【００２１】
また、上記課題を解決する印刷制御プログラムは、郵便物の宛名面に住所及び宛名を含む文字情報と画像とを印刷する印刷用データを生成するためにコンピューターに実行させる印刷制御プログラムであって、入力された前記文字情報を記憶部における前記宛名面に対応する宛名面領域に配置する文字配置ステップと、選択された画像を前記宛名面領域に配置する画像配置ステップと、前記画像に印刷濃度を薄くする画像処理を施す画像処理ステップと、前記宛名面領域に配置された前記画像処理後の画像と前記文字情報とを含む宛名面データに基づいて印刷用データを生成する生成ステップと、を備えている。この構成によれば、コンピューターに印刷制御プログラムを実行させることにより、印刷制御装置と同様の作用効果を得ることができる。
【図面の簡単な説明】
【００２２】
【図１】一実施形態の印刷装置を示す斜視図。
【図２】印刷装置の電気的構成を示すブロック図。
【図３】印刷装置内のコンピューターの機能構成を示すブロック図。
【図４】文字情報と画像とが配置された宛名面領域を示す平面図。
【図５】画像処理後の画像と文字情報とが配置された宛名面領域示す平面図。
【図６】第２の画像処理を説明するためのレイヤー構造を示す分解斜視図。
【図７】第２の画像処理後の画像と文字情報とが配置された宛名面領域を示す平面図。
【図８】宛名面印刷処理を示すフローチャート。
【図９】補正マップを示すグラフ。
【図１０】画像処理ルーチンを示すフローチャート。
【図１１】変形例の画像処理を説明するためのレイヤー構造を示す分解斜視図。
【図１２】変形例の補正マップを示すグラフ。
【図１３】図１２と異なる変形例の補正マップを示すグラフ。
【図１４】変形例における印刷制御装置の構成を示すブロック図。
【図１５】図１４と異なる変形例における印刷制御装置の構成を示すブロック図。
【発明を実施するための形態】
【００２３】
以下、印刷装置をインクジェット式プリンターに具体化した一実施形態について、図面を参照して説明する。
図１に示すように、印刷装置１１は、略長方体形状の装置本体１２と、郵便物の一例としてのハガキＰを給送（給紙）する給送部１３と、装置本体１２からハガキＰを排出（排紙）する排出部１４と、を備えている。給送部１３は、給送するハガキＰを支持する給送トレイ１５を有し、排出部１４は、排出したハガキＰを支持する排出トレイ１６を有している。
【００２４】
また、印刷装置１１は、液晶ディスプレイなどからなる表示部１７と、印刷装置１１を持ち運ぶ際に持ち手となる取手部１８と、文字入力などが可能な操作部３０とを備えている。表示部１７は、印刷装置１１の各種情報を表示可能とし、印刷装置１１の設定画面やハガキＰの宛名面及び通信面の編集画面などを表示する。また、操作部３０は、装置本体１２と赤外線通信などの近距離無線通信が可能な無線式のキーボードである。このため、印刷装置１１のユーザーは、操作部３０を介して印刷装置１１を操作することとなる。なお、操作部３０には、文字などを入力するために操作されるキー操作部３１と、設定画面中の各種設定項目を選択するために操作される例えば十字キーからなる選択操作部３２と、選択した項目などを確定したり実行したりするために操作される確定操作部３３とを有している。
【００２５】
装置本体１２の側面には、印刷装置１１の電源をオンにしたりオフにしたりする場合に操作される電源ボタン２１が設けられている。また、装置本体１２の前面には、操作部３０と通信するためのインターフェースの一部を構成する無線通信ポート２２が設けられている。
【００２６】
図２に示すように、印刷装置１１は、装置本体１２内において、給送部１３から排出部１４にハガキＰを搬送する搬送ローラー２３と、同搬送ローラー２３を駆動する搬送モーター２４と、ハガキＰにインクを噴射して文字や画像を印刷する印刷ヘッド２５と、印刷装置１１の制御を司るコントローラー４０と、を備えている。こうして、印刷装置１１は、コントローラー４０の制御に基づいて、給送トレイ１５から給送したハガキＰに印刷を行うとともに、印刷済みのハガキＰを排出トレイ１６に排出することで一連の印刷動作を行う。なお、本実施形態の印刷装置１１は、ハガキＰの宛名面及び通信面の作成から、ハガキＰの印刷までを単体で実施可能なプリンターである。
【００２７】
次に、図２を参照して印刷装置１１の電気的構成について説明する。
図２に示すように、コントローラー４０は、印刷ヘッド２５を駆動するヘッドユニット４１と、搬送モーター２４を駆動するモータードライバー４２と、表示部１７を駆動する表示ドライバー４３と、コンピューター５０とを備えている。また、印刷装置１１は、操作部３０と通信を行うための通信インターフェース４４（以下Ｉ／Ｆ４４ともいう。）と、メモリーカード３５を接続するためのカードインターフェース４５（以下Ｉ／Ｆ４５ともいう。）とを備えている。そして、コンピューター５０は、ＣＰＵ５１、ＡＳＩＣ５２（Application Specific Integrated Circuit）、不揮発性メモリー５３、及びＲＡＭ５４を含んで構成されている。
【００２８】
ＲＡＭ５４には、ハガキＰに印刷する宛名面と通信面との印刷内容を作成・編集する際に生成されるデータが一時的に記憶される。このとき、まずＲＡＭ５４には、宛先情報、画像、文字情報等の各レイヤーを配置するための仮想のキャンバスとして、ハガキＰの宛名面に対応する宛名面領域１００（図４、図５参照）と、ハガキＰの通信面に対応する通信面領域とが確保される。なお、レイヤーは階層の情報を有するデータを指す。
【００２９】
ここで、宛名面領域１００は、ユーザーが操作部３０により選択したハガキ（例えば年賀ハガキ）に対応する空白（ブランク）の宛名面の画像が不揮発性メモリー５３から読み出されてＲＡＭ５４のこの領域に書き込まれることにより生成される。この宛名面領域１００は、表示ドライバー４３がＲＡＭ５４のデータに基づく宛名面の画像を表示部１７に表示することにより、宛名面編集画面上で視覚化される（図４、図５参照）。ユーザーは操作部３０の操作によって、宛名面領域１００の上で、宛先情報の文字を書き込むテキストボックスの作成及び画像の配置、その宛先情報や画像の配置位置の変更及び編集が可能となる。ユーザーが宛名面領域１００上に配置した宛先情報や画像は、位置情報（座標情報）と共にＲＡＭ５４に記憶される。これらの位置情報は、例えば宛名面領域１００上の任意の基準座標（例えば左上コーナーを原点とする座標（０，０））に対する相対座標で表され、例えばテキストボックスや画像の矩形領域の対角に位置する二つのコーナーの座標により示される。同様に、通信面領域は、ＲＡＭ５４に確保される仮想のキャンバスで、白地の通信面の画像がこの領域に書き込まれることにより生成される。この通信面領域は、表示ドライバー４３がＲＡＭ５４のデータに基づく通信面の画像を表示部１７に表示することにより、通信面編集画面上で視覚化される。ユーザーは操作部３０の操作によって、表示された通信面領域の上で、文字情報の文字を書き込むテキストボックスの作成や画像の配置、その文字情報や画像の配置位置の変更及び編集等が可能となる。
【００３０】
不揮発性メモリー５３には、印刷装置１１の各種制御に必要なプログラム及びデータなどが記憶される。また、不揮発性メモリー５３には、前述の年賀ハガキを含む複数種のハガキに関する宛名面と通信面のそれぞれの空白の画像、及び宛名面と通信面に文字や画像を配置する際の代表的な複数のレイアウトのデータ等が記憶されている。
【００３１】
次に、図３を参照して、コントローラー４０の機能的構成について説明する。
コントローラー４０は、プログラムを実行するＣＰＵ５１によりソフトウェアとして構築される機能部分と、プログラムが書き込まれたＡＳＩＣ５２内の回路により構築される機能部分とを備えている。詳しくは、コントローラー４０は、ユーザーの操作部３０を介した操作に従って、ハガキＰの宛名面の編集及び通信面の編集と、それぞれの編集結果を印刷するための印刷データの生成などを行う印刷制御装置６０と、その生成された印刷データに基づいて印刷ヘッド２５及び搬送モーター２４を駆動制御する印刷制御部７０とを備えている。なお、本実施形態では、印刷制御部７０、印刷ヘッド２５、及び搬送モーター２４によって印刷エンジン４６が構成されている。また、印刷制御装置６０は、その機能構成部分として、文字配置部６１、画像配置部６２、画像処理部６３、表示処理部６４、印刷データ生成部６５、及び記憶部６６を備えている。なお、記憶部６６は、例えば不揮発性メモリー５３の所定記憶領域により構成され、記憶されている補正マップＭＡ等のデータは印刷装置１１の電源をオフしても保持される。
【００３２】
文字配置部６１は、入力された住所や氏名などを含む文字情報１１０を宛名面領域１００（図４、図５を参照）に配置する。
画像配置部６２は、ユーザーが表示部１７に一覧表示された複数の画像の中から選択する操作を行った際に操作部３０から入力した選択信号に基づいて、宛名面領域１００に配置するべき画像Ｉｍｇ（図４参照）を、印刷装置１１内の不揮発性メモリー５３又は印刷装置１１に接続されるメモリーカード３５から読み出して取得する。そして、画像配置部６２は、取得した画像Ｉｍｇを宛名面領域１００に配置する。なお、本例では、画像Ｉｍｇを配置する画像配置領域は予め設定されており、画像Ｉｍｇを画像配置領域に配置する際に画像サイズを調整してもよい。
【００３３】
画像処理部６３は、画像配置部６２が配置した画像Ｉｍｇに画像処理を施す。例えば、画像処理部６３は、記憶部６６に記憶された補正マップＭＡを用いて、宛名面領域１００に配置された画像Ｉｍｇを一定以上の明度に補正して同画像Ｉｍｇを淡くする画像処理を行う。
【００３４】
表示処理部６４は、表示部１７に設定画面を表示させたり、ユーザーが操作部３０を操作して選択した選択結果に応じた各種画面を表示させたりする。このため、表示処理部６４は、ハガキＰの宛名面及び通信面の編集画面を表示部１７に表示させたり、ハガキＰの印刷プレビュー画面を表示部１７に表示させたりする。
【００３５】
印刷データ生成部６５は、ハガキＰの宛名面及び通信面に配置された文字や画像Ｉｍｇを印刷するための印刷データを生成する。具体的には、印刷データ生成部６５は、ＲＡＭ５４中の宛名面領域１００に配置された文字や画像を含む宛名面データに基づいて、宛名面用の印刷データを生成する。また、印刷データ生成部６５は、ＲＡＭ５４中の通信面領域に配置された文字や画像を含む通信面データに基づいて、通信面用の印刷データを生成する。ここで、宛名面データと通信面データのそれぞれの表色系は特に限定されないが、ここでは一例としてＲＧＢ表色系のデータとする。また、印刷データは、印刷ヘッド２５から噴射されるインクの色に対応したＣＭＹＫ表色系の印刷画像データと、印刷制御部７０が印刷制御に用いるコマンド（命令）とを含んでいる。
【００３６】
印刷エンジン４６を構成する印刷制御部７０には、印刷データ生成部６５が生成した印刷データが入力される。印刷制御部７０は、印刷データ中の印刷画像データに基づいて、印刷ヘッド２５の駆動を制御するヘッド制御部７１と、印刷データ中のコマンドに基づいて搬送モーター２４を制御する搬送制御部７２とを有している。ハガキＰに印刷するとき、ヘッド制御部７１が印刷画像データに基づいて印刷ヘッド２５のノズルからインクを噴射する噴射制御を行うとともに、搬送制御部７２がコマンドに基づいてハガキＰを搬送する搬送制御を行う。こうした点で、本実施形態では、印刷エンジン４６が「印刷部」の一例に相当する。
【００３７】
ところで、図４に示すように、宛名面領域１００には、郵便番号１１１、住所１１２、氏名１１３、及び差出人の住所及び氏名を含む差出人情報１１４などを含む文字情報１１０が配置される。そして、本実施形態では、図４に示すように、文字情報１１０の背景に画像Ｉｍｇを配置することができる。この場合、同図に示すように、文字情報１１０のうち画像Ｉｍｇと重複する部分が判別し難くなることがある。そこで、本実施形態では、宛名面領域１００に配置された画像Ｉｍｇの明度を高くして印刷濃度を薄くする画像処理を施すことにより、図５に示すように、画像全体が淡くされた画像Ｉｍｇ１とし、文字情報１１０の視認性を向上させるようにしている。また、本実施形態では、文字情報１１０を構成する文字の色には、ハガキＰの媒体色である白色系の宛名面に印刷したときに視認性がよくなる黒や濃紺などの濃色が用いられる。なお、印刷濃度とは、ハガキＰの宛名面に印刷された印刷画像の濃度を指す。例えば印刷ドットの密度が小さいほど、印刷濃度は薄くなる。また、印刷ドットの密度は、単位面積当たりの印刷ドット数が少ないほど小さくなる。また、印刷ドットに複数種のサイズがある場合は、単位面積当たりの印刷ドット数が少ないほど、且つ印刷ドットのサイズが小さいほど、印刷ドットの密度は小さくなる。
【００３８】
また、図５に示すように、文字情報１１０は文字領域１３０内に配置される。文字領域１３０は例えばテキストボックスからなり、一つの文字領域１３０が、文字情報１１０を移動、拡大・縮小及び編集等をする単位となる。文字領域１３０には、宛先の郵便番号１１１が記載される郵便番号枠を含む文字領域１３１、宛名人の住所１１２が記載される文字領域１３２、氏名１１３が記載される文字領域１３３、差出人の住所・氏名等の差出人情報１１４が記載される文字領域１３４、及び差出人の郵便番号が記載される郵便番号枠を含む文字領域１３５が含まれる。ユーザーは、操作部３０を操作することにより、文字領域１３０単位で位置を移動させたり、文字領域１３０内の文字を編集したりすることが可能である。
【００３９】
また、図４、図５に示すように、宛名面領域１００には、画像を配置できる領域（画像配置領域）が設定されている。ハガキＰが例えば年賀ハガキであれば、宛名面領域１００には、画像を配置できない禁止領域がある。禁止領域には、料額印面１２０を含む領域、例えば郵便番号１１１，１１５を記入する郵便番号枠を含む領域、宛名面領域１００の幅方向における両端から所定範囲の領域、及び宛名面領域１００の下縁に記載されたお年玉くじの抽選番号を含む矩形領域などがある。これらの禁止領域を避けた領域のうち、なるべく広いサイズを確保できる位置に画像配置領域は設定されている。宛先の住所・氏名を縦書きとした図４、図５に示す例では、同図に配置された画像Ｉｍｇの位置が画像配置領域に設定されている。なお、横書きの場合、画像配置領域は、例えば郵便番号１１１の下側で且つ料額印面１２０の右側の領域に設定されている。
【００４０】
また、図５では、画像Ｉｍｇ１が淡くなっていて文字情報１１０は視認し易いが、本実施形態では、更に文字情報１１０の視認性を高めるために、画像Ｉｍｇのうち文字情報１１０と重なっている部分の周辺を、更に淡くする画像処理（第２の画像処理）を指定することもできる。本例では、画像Ｉｍｇのうち文字領域１３０と重なる部分に第２の画像処理を施す。
【００４１】
図６に示すように、画像のうち文字領域１３０と重なる部分に施す第２の画像処理では、文字領域１３０の重なる部分と同形状・同サイズ且つハガキＰの媒体色（宛名面の地の色）と同系色のマスク画像ＭＳを所定の透過率で作成する。マスク画像ＭＳは文字領域１３０ごとに作成する。マスク画像ＭＳの透過率は、例えば３０〜７０％の範囲内の値が好ましいが、文字情報１１０のうち画像Ｉｍｇ１と重なった文字が視認し易ければ、０（零）％より大きく１００％未満の範囲内の適宜な値を設定することができる。本例では、例えば４０％〜６０％の範囲内の透過率に設定されている。そして、図６に示すように、マスク画像ＭＳを、画像Ｉｍｇ１とこの画像Ｉｍｇ１の視方向上流側（図６では上側）の層に配置された文字情報１１０との間の層に、画像Ｉｍｇ１と文字領域１３０との重なる部分と対応する位置に配置する。
【００４２】
ユーザーが視方向から画像Ｉｍｇ１を見た場合、画像Ｉｍｇ１のうち文字領域１３０と重なる部分は、半透明の白色系のマスク画像ＭＳを通して見ることになるので、その文字領域１３０と重なる部分以外の部分よりも更に薄く見えることになる。この第２の画像処理によって、図７に示すように、画像のうち文字領域と重なった部分が更に淡くなった画像Ｉｍｇ２が得られる。
【００４３】
次に、図８に示すフローチャートを参照して、宛名面領域１００に文字情報１１０及び画像Ｉｍｇを配置する編集を行って、編集した宛名面を印刷するためにコンピューター５０が実行する処理ルーチンについて説明する。コンピューター５０は、不揮発性メモリー５３から読み出した印刷制御プログラムを実行することで、この処理ルーチンを行う。
【００４４】
図８に示すように、本処理ルーチンにおいて、ステップＳ１１では、コンピューター５０は、ユーザーによる操作部３０の操作などに基づいて、入力された文字情報１１０を宛名面領域１００に配置する。例えば入力された郵便番号１１１、住所１１２、氏名１１３及び差出人情報１１４等の文字情報１１０を宛名面領域１００に配置する。文字情報１１０は、必要に応じてユーザーが操作した操作部３０からの操作信号に基づき指定された位置に移動されて位置調整される。なお、既に宛名面情報が作成済みの場合、ユーザーは住所録で宛名人を指定する。この場合、操作部３０からの操作信号に基づいて住所録で指定された宛名人に対応する文字情報１１０が記憶部６６から読み出されて宛名面領域１００に配置される。なお、このステップＳ１１の処理が、「文字配置ステップ」の一例に相当する。
【００４５】
ステップＳ１２では、コンピューター５０は、ユーザーによる操作部３０の操作などに基づいて、選択された画像Ｉｍｇ（画像データ）を宛名面領域１００に配置する。例えばユーザーは表示部１７に複数の画像を一覧表示させ、操作部３０を操作して複数の画像のうちから所望の画像を選択する操作を行う。コンピューター５０はその操作された操作部３０からの操作信号に基づき選択された画像Ｉｍｇを記憶部６６から読み出し、宛名面領域１００における予め設定された画像配置領域に配置する。このステップＳ１２では、画像が一つのみ選択されることもあるが、複数選択されることもある。なお、このステップＳ１２の処理が、「画像配置ステップ」の一例に相当する。
【００４６】
ここで、宛名面領域１００に配置された文字情報１１０及び画像Ｉｍｇは、記憶部６６の作業領域に、それぞれ文字領域１３０（例えばテキストボックス）の座標及び画像Ｉｍｇの座標と、レイヤー情報（階層情報）と共に格納される。そして、記憶部６６に格納されたこれらの座標情報及びレイヤー情報に基づいて、宛名面領域１００の宛名面情報と文字情報１１０と画像Ｉｍｇとが階層に応じた順番で合成されて表示部１７に表示する。よって、表示部１７の宛名面編集画面には図４等と同様の宛名面領域の画像が表示される。表示された画像は、記憶部６６に格納された各種データを基に視覚化されたものであるから、編集画面に表示された宛名面領域１００を見れば、記憶部６６に書き込まれた文字情報１１０及び画像Ｉｍｇの各種データは一義的に特定される。
【００４７】
なお、記憶部における宛名面と対応する宛名面領域に文字情報を配置するとは、文字情報１１０を記憶部６６に宛名面領域１００に対する相対的な位置を特定可能な座標と共に記憶することである。これは、編集画面において宛名面領域１００に文字情報１１０を所定の位置に配置して表示するために必要なデータ等を記憶部６６に記憶することを指す。このため、編集画面において、宛名面領域１００に文字情報１１０が配置されて表示されれば、これをもって記憶部６６における宛名面領域１００に文字情報１１０が配置されているとみなすことができる。また、記憶部における宛名面と対応する宛名面領域に画像を配置するとは、画像Ｉｍｇを記憶部６６に宛名面領域１００に対する相対的な位置を特定可能な座標と共に記憶することである。これは、編集画面において宛名面領域１００に画像Ｉｍｇを所定の位置に配置して表示するために必要なデータ等を記憶部６６に記憶することを指す。このため、編集画面において、宛名面領域１００に画像Ｉｍｇが配置されて表示されれば、これをもって記憶部６６における宛名面領域１００に画像Ｉｍｇが配置されているとみなすことができる。
【００４８】
そして、次のステップＳ１３では、コンピューター５０は、ユーザーによってプレビュー操作がなされているか否かを判定する。この「プレビュー操作」とは、ハガキＰの宛名面に印刷する印刷内容の表示部１７への表示を印刷装置１１に要求するための操作を指す。プレビュー操作がなされていない場合（ステップＳ１３：ＮＯ）、処理が後述するステップＳ１６に移行される。一方、プレビュー操作がなされている場合（ステップＳ１３：ＹＥＳ）、処理がステップＳ１４に移行される。
【００４９】
このステップＳ１４では、コンピューター５０は、画像Ｉｍｇ（画像データ）に画像処理を施す。この画像処理は画像処理部６３によって行われ、処理が次のステップＳ１５に移行される。この点で、ステップＳ１４が、「画像処理ステップ」に相当する。なお、このステップＳ１４で実施される画像処理は、プレビューデータを生成するための処理である。そのため、この画像処理では、プレビュー用の低解像度の画像に対して処理が行われる。
【００５０】
そして、ステップＳ１５では、コンピューター５０は、プレビュー画像を表示する表示処理を行う。この表示処理は表示処理部６４により行われ、ハガキＰの宛名面に印刷する印刷内容を示すプレビュー画像が表示部１７に表示される。このプレビュー画像では、図５又は図７に示すように淡く補正された画像Ｉｍｇ１又はＩｍｇ２が文字情報１１０の背景に配置された宛名面領域１００のプレビュー画像が表示される。その後、処理が次のステップＳ１６に移行される。
【００５１】
ステップＳ１６では、コンピューター５０は、ユーザーによってハガキＰの宛名面への印刷が指示されたか否かを判定する。ユーザーによる宛名面への印刷の指示がない場合（ステップＳ１６：ＮＯ）、本処理ルーチンが終了される。一方、ユーザーによって宛名面への印刷が指示された場合（ステップＳ１６：ＹＥＳ）、処理がステップＳ１７に移行される。
【００５２】
ステップＳ１７では、コンピューター５０は、画像Ｉｍｇ（画像データ）に画像処理を施す。この画像処理は画像処理部６３によって行われ、処理が次のステップＳ１８に移行される。したがって、この点で、ステップＳ１８が、「画像処理ステップ」に相当する。
【００５３】
ステップＳ１８では、コンピューター５０は、宛名面領域１００に配置された文字情報１１０と画像Ｉｍｇ１又はＩｍｇ２とを含む宛名面データに基づいて印刷データを生成する。この処理は、印刷データ生成部６５により行われる。したがって、この点で、ステップＳ１８が、「生成ステップ」に相当する。
【００５４】
次のステップＳ１９では、コンピューター５０は、生成した印刷データに基づいて印刷ヘッド２５及び搬送モーター２４を駆動制御し、ハガキＰの宛名面への印刷処理を行う。この印刷処理は、印刷制御部７０によって行われる。この印刷処理を終了すると、本処理ルーチンが終了される。なお、上述の処理ルーチンにおいて、コンピューター５０が実行するステップＳ１１〜Ｓ１８の処理が「印刷制御プログラム」の一例に相当する。
【００５５】
次に、図９に示す補正マップＭＡと、図１０に示すフローチャートを参照して、画像Ｉｍｇの明度を高くして印刷濃度を薄くする画像処理の内容について説明する。
図９に示す補正マップＭＡは、補正前の画像ＩｍｇのＲＧＢ値に応じて補正後の画像ＩｍｇのＲＧＢ値を決定する際に参照される。この補正マップＭＡを示すグラフは、横軸が補正前の画像ＩｍｇのＲＧＢ値（２５６階調）とされ、縦軸が補正後の画像ＩｍｇのＲＧＢ値（２５６階調）とされている。そして、図９に示すグラフにおいて、一点鎖線で示す直線ＬＢは、補正前と補正後でＲＧＢ値が同じで、明るさの補正が行われない場合のトーンカーブを示す。一点鎖線で示す直線ＬＢよりも下側の領域では、補正前の画像ＩｍｇのＲＧＢ値よりも補正後の画像ＩｍｇのＲＧＢ値が小さくされ、この一点鎖線で示す直線ＬＢよりも上側の領域では、補正前の画像ＩｍｇのＲＧＢ値よりも補正後の画像ＩｍｇのＲＧＢ値が大きくされる。
【００５６】
そして、図９に示す本実施形態の補正マップＭＡによれば、補正前の画像ＩｍｇのＲＧＢ値が閾値Ｔｈ以上のＲＧＢ値に補正される。閾値Ｔｈは、画像と文字が重なっても、文字を判別できる程度に画像を淡くできる最小のＲＧＢ値に設定されている。
【００５７】
ところで、トーンカーブ補正は、補正前の画像のＲＧＢ値が「０（零）」であって補正後の画像のＲＧＢ値が「０（零）」である点を第１の点とし、補正前の画像のＲＧＢ値が「２５５」であって補正後の画像のＲＧＢ値が「２５５」である点を第２の点としたとき、第１の点と第２の点とを結んだ線分（図９では一点鎖線）を調整するものである。すなわち、第１の点と第２の点を固定した状態で、第１の点と第２の点とを結ぶ線分を上に凸とすることで画像を淡くしたり、同線分を下に凸とすることで画像を濃くしたりできる。このため、図９に一点鎖線で示す直線状のトーンカーブを、画像を淡くするためにできるだけ閾値Ｔｈ以上の領域を通るように、第１の点（座標（０，０））から急峻な立ち上がりで大きく上に凸となるカーブを描くように調整すればよい。しかし、このように調整しても、図９に二点鎖線で示すように、補正前の画像ＩｍｇのＲＧＢ値が「０（零）」から値Ｖａの範囲で、補正後の画像ＩｍｇのＲＧＢ値が閾値Ｔｈ未満の値をとることになる。すなわち、この場合、補正前に０以上Ｖａ未満の範囲内のＲＧＢ値の部分を有する画像においては、補正後の画像において、依然として色の濃い部分（暗い部分）が存在し、同部分に文字が重複するとその文字を判別できなくなることがある。このため、図９に太線で示すように、本実施形態の補正マップＭＡでは、補正前の画像ＩｍｇのＲＧＢ値が「０（零）」から値Ｖａの範囲の部分が、画像を淡くするために必要な最小のＲＧＢ値である閾値Ｔｈに設定されている。なお、本実施形態では、補正前の画像ＩｍｇのＲＧＢ値のうち値Ｖａ以下の範囲が、補正前の画像の明度の最低値寄りの一部の範囲の一例に相当する。
【００５８】
図９に示す補正マップＭＡによれば、値Ｖａ以下である場合、補正後の画像ＩｍｇのＲＧＢ値は閾値Ｔｈとされる。すなわち、補正前の画像ＩｍｇのＲＧＢ値が「０（零）」から値Ｖａまでの範囲内の値である場合、補正後の画像ＩｍｇのＲＧＢ値は閾値Ｔｈとされる。また、補正前の画像ＩｍｇのＲＧＢ値が値Ｖａよりも大きい場合、補正後の画像ＩｍｇのＲＧＢ値は、閾値Ｔｈよりも大きな値であって、且つ補正前のＲＧＢ値が大きいほど大きな値とされる。したがって、この補正マップＭＡによれば、ＲＧＢ値が値Ｖａ以下であって明度が比較的低い色（例えば黒色）は、ＲＧＢ値が閾値Ｔｈであって明度が比較的高い色（例えば灰色）に補正される。また、ＲＧＢ値が値Ｖａよりも大きく明度が比較的高い色（例えば白色）は、ＲＧＢ値が閾値Ｔｈよりも大きく明度が比較的高い色（例えば白色）に補正される。このため、この補正マップＭＡによれば、補正前の画像Ｉｍｇにおいて、ＲＧＢ値が高い場合よりも低い場合の方が、補正前後の明度差が大きくなる。なお、図９に示すマップは、ＲＧＢ値を全て同じように補正するものであるが、各色（赤（Ｒ）、緑（Ｇ）、青（Ｂ））に応じた補正マップを用意し、各色で補正マップを使い分けてもよい。
【００５９】
次に、図１０に示すフローチャートを参照して、画像Ｉｍｇの明度を高くするためにコンピューター５０が図８におけるステップＳ１４及びＳ１７において実行する画像処理ルーチンについて説明する。
【００６０】
まずステップＳ２１において、コンピューター５０は、補正前の画像Ｉｍｇを取得する。次のステップＳ２２において、コンピューター５０は、図９に示す補正マップＭＡを取得する。そして、ステップＳ２３において、コンピューター５０は、補正マップＭＡに基づいて画像Ｉｍｇを補正する。すなわち、補正前の画像ＩｍｇのＲＧＢ値が、図９に示す補正マップＭＡを参照して補正後の画像ＩｍｇのＲＧＢ値に変換されるトーンカーブ補正処理により、画像Ｉｍｇは明度の高い画像Ｉｍｇ１に補正される（第１の画像処理）。この場合、補正前の画像ＩｍｇのＲＧＢ値が閾値Ｔｈ以上のＲＧＢ値に補正されるため、画像Ｉｍｇ１は補正前のＲＧＢ値に関わらずその全域において、重なった文字を判別できる程度に淡く調整される。
【００６１】
続いて、ステップＳ２４において、コンピューター５０は、補正後の画像Ｉｍｇ１を宛名面領域１００に再配置する。これにより、記憶部６６には、補正前の画像Ｉｍｇに替えて補正後の画像Ｉｍｇ１が、補正前の画像Ｉｍｇの座標と共に書き込まれる。
【００６２】
更に画像Ｉｍｇ１において文字領域１３０と重なっている部分を重なっていない部分よりも更に薄くするモードがユーザーの操作又は印刷装置１１の設定によって選択されている場合は、さらにステップＳ２５の第２の画像処理が行われる。
【００６３】
ステップＳ２５では、画像Ｉｍｇ１の文字領域１３０と重なる部分の上に半透明のマスク画像ＭＳを配置する（第２の画像処理）。すなわち、図６に示すように、画像Ｉｍｇ１において、文字領域１３０と重なっている部分と略同形状・略同サイズで、ハガキＰの媒体色と同系色（例えば白）の半透明のマスク画像ＭＳを作成する。そして、マスク画像ＭＳを、画像Ｉｍｇ１と文字情報１１０との間の層に、画像Ｉｍｇ１と文字領域１３０との重なる部分と対応する位置に配置する。こうして第１の画像処理及び第２の画像処理を終えると、本処理ルーチンを一旦終了する。こうして、補正前の画像Ｉｍｇが配置されていた宛名面領域１００に、補正前の画像Ｉｍｇよりも明度が高くされた補正後の画像Ｉｍｇ１又はＩｍｇ２が配置される。なお、図１０において、印刷濃度を薄くする画像処理を画像Ｉｍｇの全体に施す第１の画像処理（Ｓ２４）と、画像の文字領域１３０と重なる部分に施す第２の画像処理（Ｓ２５）との処理の順番は逆にしてもよい。
【００６４】
次に、本実施形態の印刷装置１１の作用について説明する。
ユーザーは操作部３０を操作して、宛名面編集画面に表示された図４に示す宛名面領域１００に文字情報１１０と画像Ｉｍｇとを配置し、必要に応じて文字情報１１０と画像Ｉｍｇに編集を加えて宛名面の内容を完成させる。ユーザーは印刷前に印刷内容を確認するために操作部３０を用いてプレビュー操作を行う。プレビュー操作を受け付けたコンピューター５０は、画像Ｉｍｇの全体に印刷濃度を薄くする画像処理（第１の画像処理）を施す。この場合、コンピューター５０は図９に示す補正マップＭＡを参照して補正前の画像ＩｍｇのＲＧＢ値を補正後の画像のＲＧＢ値に変換するトーンカーブ補正処理を行う（図１０のＳ２３）。この結果、画像Ｉｍｇの全体を淡くする第１モードが設定されている場合は、図５に示す画像Ｉｍｇ１が文字情報１１０の背景に配置された宛名面領域１００が表示される。
【００６５】
一方、画像のうち文字情報１１０と重なった部分を更に淡くする第２モードが設定されている場合は、画像のうち文字領域１３０と重なる部分と略同形状・略同サイズ且つハガキＰの媒体色と同系色（例えば白色）のマスク画像ＭＳを所定の透過率で作成する。そして、図６に示すように、マスク画像ＭＳを、画像Ｉｍｇ１と文字情報１１０との間の層に、画像Ｉｍｇ１と文字領域１３０との重なる部分と対応する位置に配置する。この結果、第２モードが設定されている場合は、図７に示すように、文字領域１３０と重なった部分が更に薄くなった画像Ｉｍｇ２と文字情報１１０とが配置された宛名面領域１００が、表示部１７に表示される。なお、このときの表示に用いられるプレビューデータは、空白の宛名面画像と、文字情報１１０と画像Ｉｍｇ２とを含む宛名面データに基づいて生成される。また、このプレビューデータは、表示部１７への表示に高解像度が必要ないことから低解像度で生成される。
【００６６】
ユーザーはプレビューされた図５又は図７に示す宛名面情報を確認し、問題がなければ、操作部３０を用いて印刷を指示する。印刷指示を受け付けたコンピューター５０は、画像Ｉｍｇの全体に印刷濃度を薄くする画像処理（第１の画像処理）を施す。この場合、コンピューター５０は図９に示す補正マップＭＡを参照して補正前の画像ＩｍｇのＲＧＢ値を補正後の画像のＲＧＢ値に変換するトーンカーブ補正処理を行う（図１０のＳ２３）。この結果、画像Ｉｍｇの全体を淡くする第１モードが設定されている場合は、図５に示す宛名面領域１００に配置された文字情報１１０と画像Ｉｍｇ１とを含む宛名面データに基づいて印刷データが生成される。そして、印刷制御部７０が、印刷データに基づいて印刷ヘッド２５及び搬送モーター２４を制御することにより、ハガキＰの宛名面に図５に示す宛名面情報と同様の印刷内容が印刷される。このハガキＰの宛名面には、画像が淡く印刷されるので、共に印刷された住所及び氏名を含む文字情報は容易に視認できる。
【００６７】
一方、第２モードが設定されている場合は、コンピューター５０の画像処理部６３は、画像のうち文字領域１３０と重なる部分と略同形状・略同サイズ且つハガキＰの媒体色と同系色（例えば白色）のマスク画像ＭＳを所定の透過率で作成する。そして、図６に示すように、マスク画像ＭＳを、画像Ｉｍｇ１と文字情報１１０との間の層に、画像Ｉｍｇ１と文字領域１３０との重なる部分と対応する位置に配置する。この結果、第２モードが設定されている場合は、図７に示すように、宛名面領域１００に配置された文字領域１３０と重なった部分が更に薄くなった画像Ｉｍｇ２と文字情報１１０とを含む宛名面データに基づいて印刷データが生成される。そして、印刷制御部７０が、印刷データに基づいて印刷ヘッド２５及び搬送モーター２４を制御することにより、ハガキＰの宛名面に図７に示す宛名面情報と同様の印刷内容が印刷される。このハガキＰの宛名面には、画像が淡く印刷されるとともにその淡い画像のうち住所及び氏名を含む文字情報と重なった部分の周辺は更に淡く印刷されるので、共に印刷された住所及び氏名を含む文字情報は容易に視認できる。
【００６８】
以上詳述した本実施形態によれば、以下に示す効果を得ることができる。
（１）入力された文字情報１１０と共に宛名面領域１００に配置された画像Ｉｍｇ（画像データ）に印刷濃度を薄くする画像処理を施した。このため、画像処理後の画像と文字情報とを含む宛名面データに基づいて生成された印刷データ（印刷用データの一例）に基づく印刷を行った際、ハガキＰの宛名面に画像は薄い印刷濃度で淡く印刷される。よって、ハガキＰに印刷された画像と文字情報とが重なっても、文字情報を容易に視認できる。
【００６９】
（２）プレビューデータ（印刷用データの一例）に基づいて宛名面情報を表示部１７に表示するので、仮に住所や氏名等の文字情報１１０と画像Ｉｍｇ１（又はＩｍｇ２）とが重なっても、文字情報１１０が視認し易い淡い画像が印刷結果として事前に表示される。よって、淡くなった画像によって文字情報が視認し易いことを印刷前に事前に確認することができる。
【００７０】
（３）画像処理としてトーンカーブ補正処理を行うので、画像ＩｍｇのＲＧＢ値（明度）が補正マップＭＡに基づいて高い値に変換され、印刷濃度の薄い画像Ｉｍｇ１（又はＩｍｇ２）を得ることができる。ところで、ハガキＰの媒体色と同系色の半透明のマスク画像を視方向上流側の層に配置し、画像Ｉｍｇの印刷濃度を薄くこともできる。しかし、この場合、マスク画像の非透過部分に覆われた画素が見えなくなるので、画素が間引かれた状態となり画像が相対的に粗くなる。これに対して、トーンカーブ補正処理は、補正前の画像のＲＧＢ値と補整後の画像のＲＧＢ値とを変更する処理なので、補正後も見えなくなる画素がないため、画像が淡くなっても、マスク画像を用いる画像処理に比べ画像が粗くなることを抑制することができる。また、補正マップＭＡのトーンカーブは調整できるので、印刷濃度の設定や変更がし易い。
【００７１】
（４）宛名面領域１００に配置された文字情報１１０が画像Ｉｍｇと重なる場合、画像Ｉｍｇにおける文字領域１３０と重なる部分に、文字領域１３０と重ならない部分よりも印刷濃度を薄くする画像処理（第２の画像処理）が施される。よって、ハガキＰの宛名面に印刷された文字情報のうち画像と重なる文字も視認し易くなる。
【００７２】
（５）宛名面領域１００に配置された画像Ｉｍｇ１における文字領域１３０と重なる部分に、更に印刷濃度を薄くする画像処理を行う。よって、文字情報１１０における画像Ｉｍｇと重なった部分が更に視認し易くなる。
【００７３】
（６）画像における文字領域１３０と重なる部分に施す第２の画像処理を、文字領域１３０の重なる部分と略同形状・略同サイズ且つハガキＰの媒体色と同系色の半透明のマスク画像ＭＳを、画像Ｉｍｇ１と文字情報１１０との間の層に、画像Ｉｍｇ１と文字領域１３０との重なる部分と対応する位置に配置する。画像Ｉｍｇに特別な画像処理を施さなくても済むので、例えば画像処理後に元の画像に戻す処理も比較的簡単に行うことができる。
【００７４】
（７）補正マップＭＡ（トーンカーブ）は、補正前のＲＧＢ値（明度）の最低値寄りの一部の領域（０〜Ｖａ）（ＲＧＢ値の全域の２０％以下の値Ｖａ以下の領域）において補正後のＲＧＢ値（明度）が、必要な最低ＲＧＢ値である一定の閾値Ｔｈ（＞０）に設定されている。このため、補正前の画像におけるＲＧＢ値の極めて低い部分が、補正後に、閾値Ｔｈ以上のＲＧＢ値に補正される。よって、補正前の画像におけるＲＧＢ値の極めて低い部分（暗い部分）を含む全体を、要求される一定の閾値Ｔｈ以上のＲＧＢ値となる薄い印刷濃度に画像を補正することができる。例えば、図９に示すマップのグラフで座標点（０，０）と（２５５，２５５）の二点を通る上に凸のトーンカーブであると、トーンカーブに図９に二点鎖線で示す部分が存在し、補正前の画像でＲＧＢ値が値Ｖａ以下の画素は補正後に閾値Ｔｈ未満のＲＧＢ値に補正されてしまう。この場合、閾値Ｔｈ未満のＲＧＢ値を有する画素の存在により、文字情報１１０の視認性が低下する。しかし、本実施形態では、補正前に閾値Ｔｈ未満のＲＧＢ値を有する画素も、補正後には閾値ＴｈのＲＧＢ値に補正される。よって、補正後の画像Ｉｍｇ１を印刷した場合、文字情報の視認性がよくなる。
【００７５】
（８）補正前の画像でＲＧＢ値が０〜値Ｖａの範囲の極めて低い値をとる画素は、画像Ｉｍｇの暗い部分（黒や濃色）なので、元々その暗部の部分の絵柄は視認されにくい。よって、補正前の画像でＲＧＢ値が０〜値Ｖａの画素が、一律にＲＧＢ値が閾値Ｔｈに補正されて、その部分の絵柄が反映されなくても、さほど問題はない。そして、値Ｖａ以上の領域で補正前の画像のＲＧＢ値が大きくなるほど、補正後の画像のＲＧＢ値が大きくなるように補正マップＭＡのトーンカーブが設定されている。よって、トーンカーブ補正処理の結果、補正前の画像Ｉｍｇの絵柄が反映された淡い画像Ｉｍｇ１を得ることができる。また、補正前の画像でＲＧＢ値がかなり高い画素は、かなり薄く絵柄を視認するうえでさほど重要ではない場合が多い。このため、補正前の画像のＲＧＢ値がかなり高い領域では、補正後の画像のＲＧＢ値がほぼ一律に最大ＲＧＢ値近くの値に補正されても、絵柄を視認するうえでさほど問題ではない。このように本実施形態では、補正後のＲＧＢ値が閾値Ｔｈ以上に補正され、補正前の画像のＲＧＢ値が最低値寄りと最高値寄りの一部の領域で、勾配の変化が小さく、中間領域で勾配の変化が大きくなるトーンカーブを描いている。よって、補正後の淡くした画像において補正前の画像の絵柄が反映され易い。特にグレイスケールの画像において顕著に効果がある。
【００７６】
（９）印刷装置１１は、印刷制御装置６０と、印刷データ生成部６５が生成した印刷データに基づき画像処理後の画像Ｉｍｇ１（又はＩｍｇ２）と文字情報１１０とを印刷する印刷エンジン４６（印刷部の一例）とを備えている。このため、印刷装置１１によって、ハガキＰの宛名面に、印刷濃度の薄い画像とこの画像を背景とする文字情報とを印刷することができる。
【００７７】
（１０）コンピューター５０に印刷制御プログラム（ステップＳ１１〜Ｓ１８）を実行させることにより、印刷制御装置６０の各機能部分が構成され、上記（１）〜（８）と同様の効果を得ることができる。
【００７８】
なお、上記実施形態は以下のような形態に変更することもできる。
・画像処理（第１の画像処理）は、宛名面に画像を薄く印刷することができるのであれば、トーンカーブ補正以外の他の画像処理を採用してもよい。例えば、図１１に示すように、ハガキの媒体色（宛名面の地の色）と同系色であって且つ所定の透過率の半透明なマスク画像ＭＳ１を画像Ｉｍｇと略同形状・略同サイズで作成し、このマスク画像ＭＳ１を画像Ｉｍｇとこの画像Ｉｍｇの視方向上流側（手前側）の層に配置される文字情報１１０との間の層に配置する。これにより画像Ｉｍｇの全域をマスク画像ＭＳ１で覆う。マスク画像ＭＳ１の透過率は、例えば３０〜７０％の範囲内の値が好ましいが、画像Ｉｍｇ１と重なった文字情報が視認し易ければ、０（零）％より大きく１００％未満の範囲内の適宜な値を設定することができる。このマスク画像ＭＳ１を用いた画像処理によっても、図５に示すような淡い画像Ｉｍｇ１を生成することができ、ハガキＰの宛名面に印刷した場合、図５に示すように、文字情報１１０のうち画像Ｉｍｇ１と重なった部分も視認し易い。また、この画像処理（マスク処理）後の画像は、印刷したときに薄い印刷濃度でハガキＰの宛名面に印刷される。画像Ｉｍｇをマスク画像ＭＳ１で覆うだけなので、画像Ｉｍｇに特別な画像処理を施すことなく、印刷濃度を薄くすることができる。よって、上記（１），（２）と同等の効果を得ることができる。
【００７９】
さらに、図１１に示すように、文字領域１３０のうち画像Ｉｍｇと重なった部分と同形状・同サイズで、且つハガキＰの媒体色（宛名面の地の色）と同系色（例えば白）であって且つ半透明なマスク画像ＭＳ２を作成する。このマスク画像ＭＳ２を、画像Ｉｍｇとこの画像Ｉｍｇに対して視方向上流側の層に配置される文字情報１１０との間の層に、文字領域１３０の画像と重なった部分と同じ位置に重ねるように配置することで、第２の画像処理を行う。マスク画像ＭＳ１を画像Ｉｍｇに重ねる処理を第１の画像処理とすると、第１及び第２の画像処理により、図７に示す淡い画像Ｉｍｇ２が得られるとともに、画像のうち文字領域１３０と重なる部分を、文字領域１３０と重ならない部分よりも更に淡く生成できる。よって、ハガキＰの宛名面に印刷した場合、図７に示すように、図５の画像Ｉｍｇ１に比べ、文字情報のうち画像と重なった文字をさらに視認し易くすることができる。よって、このようなマスク画像ＭＳ１，ＭＳ２を用いた画像処理（マスク処理）によっても、上記（４）〜（６）と同等の効果を得ることができる。
【００８０】
・第２の画像処理は、マスク画像ＭＳ（又はＭＳ２）を画像に重ねるマスク処理に限定されず、他の処理であってもよい。例えば、画像のうち文字領域１３０と重なる部分に、補正マップＭＡに基づくトーンカーブ補正処理を施し、この処理後の画像部分を元の位置に再配置してもよい。こうした画像を含む宛名面データに基づいて生成した印刷データで印刷を行っても、上記（４）〜（６）と同等の効果を得ることができる。
【００８１】
・トーンカーブ補正処理で用いる補正マップは、画像を薄くすることができるのであれば、上記の補正マップＭＡとは異なる他のマップでもよい。例えば図１２に示すように、補正前の画像のＲＧＢ値が値Ｖａ未満であるか否かとは拘わらず、補正前の画像のＲＧＢ値が大きいほど、補正後の画像のＲＧＢ値が大きくなるような補正マップＭＢを採用してもよい。補正マップＭＢは、補正後に要求される最大印刷濃度に対応する最低ＲＧＢ値が設定された閾値Ｔｈ以上の範囲で、マップの座標（０，Ｔｈ）で示される第１の点と座標（２５５，２５５）で示される第２の点との二点を結ぶ、上に凸のカーブを描くように設定されている。このため、補正前のＲＧＢ値が高くなるほど、補正後のＲＧＢ値が高くなるように画像に補正されるので、画像に印刷濃度を薄くする画像処理が施された際、補正後の画像Ｉｍｇ１，Ｉｍｇ２のＲＧＢ値の全域において補正前の画像Ｉｍｇの各画素のＲＧＢ値（明度）が反映される。例えば補正前の画像のＲＧＢ値が同じ値に補正されると、画像が淡くなるものの、元の絵柄が分かりにくくなる。しかし、補正前の画像のＲＧＢ値が異なれば、補正後にそれぞれ異なるＲＧＢ値に変換されるので、画像が淡くなっても元の絵柄が反映され易い。
【００８２】
また、図１３に示すように、補正前のＲＧＢ値の変化量に対する補正後のＲＧＢ値の変化率である勾配が一定となる補正マップＭＣを採用してもよい。つまり、マップの座標点（０，Ｔｈ）と（２５５，２５５）の二点を直線で結んだ補正マップＭＣであってもよい。この補正マップＭＣによっても、補正前の画像のＲＧＢ値が異なれば、補正後にそれぞれ異なるＲＧＢ値に変換されるので、画像が淡くなっても元の絵柄が反映され易い。また、上記二点を二次関数、又はそれ以上の高次関数で示されるカーブで結んだ補正マップであってもよい。こうした補正マップＭＢ，ＭＣを用いて画像に対して画像処理を施し、画像処理後の画像に基づいて生成した印刷データで宛名面に印刷しても、上記（１）〜（３）と同様の効果を得ることができる。
【００８３】
・上記実施形態では、印刷装置１１が印刷制御装置６０を備え、印刷装置単体で、宛名面の作成・編集から印刷データの生成、さらに印刷までを行う構成であった。これに対して、例えば図１４に示すように、ホスト装置９０（外部装置）と、このホスト装置９０と有線又は無線で通信可能な印刷装置１１Ａとを備えた印刷システムにおいて、ホスト装置９０が印刷制御装置６０を備えてもよい。ホスト装置９０は例えばパーソナルコンピューターである。この構成では、ユーザーはホスト装置９０の操作部を操作して宛名面を編集し、画像処理部６３による画像処理後の画像Ｉｍｇ１又はＩｍｇ２と文字情報１１０とを含む宛名面データに基づいて印刷データを生成し、その生成した印刷データを印刷装置１１Ａに送信する。印刷装置１１Ａでは、ホスト装置９０から受信した印刷データに基づいてハガキＰの宛名面への印刷を行う。この場合、ホスト装置９０のコンピューターが印刷制御プログラムを実行することにより、このコンピューターが印刷制御装置６０として機能する。
【００８４】
・図１５に示すように、ホスト装置９１（外部装置）と、このホスト装置９１と有線又は無線で通信可能な印刷装置１１Ｂとを備えた印刷システムにおいて、印刷制御装置６０が、ホスト装置９１と印刷装置１１Ｂの双方に分かれて存在していてもよい。すなわち、ホスト装置９１に印刷制御装置６０を構成する一部が備えられ、印刷装置１１Ｂに印刷制御装置６０を構成する他の一部が備えられた構成である。図１５に示す例では、印刷制御装置６０のうち印刷データ生成部６５が印刷装置１１Ｂに備えられ、印刷制御装置６０を構成するその他の部分がホスト装置９１に備えられている。ホスト装置９１は、例えばスマートフォン、携帯電話、タブレットＰＣ、携帯情報端末（ＰＤＡ（Personal Digital Assistants））等の携帯端末である。この種の携帯型のホスト装置９１は、メモリー容量が比較的少なく、印刷データ生成部６５を構成するための印刷ドライバー等の比較的容量の大きいソフトウェアを記憶すると、メモリー領域のかなりの部分が使用されてしまうため、印刷データの生成は印刷装置１１Ｂ側で行う。このため、ホスト装置９１から宛名面データを印刷装置１１Ｂに送信し、印刷装置１１Ｂ内の印刷データ生成部６５が宛名面データに基づいて印刷データを生成し、その生成した印刷データに基づいて印刷エンジン４６がハガキＰの宛名面に印刷をする。
【００８５】
・画像Ｉｍｇを画像処理により淡くする濃度を、ユーザーが操作部３０の操作で調整できるようにしてもよい。例えば補正マップＭＡ，ＭＢ，ＭＣにおける閾値Ｔｈを、ユーザーによる操作部３０の操作によって変更できるようにしてもよい。また、例えばユーザーが操作部３０の操作でマスク画像ＭＳ，ＭＳ１，ＭＳ２の透過率を変更できるようにしてもよい。また、画像処理により得られる画像の印刷濃度を操作部３０の操作で調整できるようにしてもよい。
【００８６】
・画像処理部は、図９に二点鎖線で示すように、補正前の画像の０〜値Ｖａの範囲内のＲＧＢ値が、補正後の画像の閾値Ｔｈ未満のＲＧＢ値に補正される補正マップを用いて、画像ＩｍｇのＲＧＢ値（明度）を高くする画像処理を行ってもよい。この場合、値Ｖａ未満のＲＧＢ値は明度を十分高くできないが、補正前の画像の少なくとも値Ｖａ以上の部分は淡く補正されるので、少なくともこの部分においては重なった文字が視認し易くなる。また、補正前の画像に値Ｖａ未満の画素が少ない又は無い場合や、値Ｖａ未満の画素が存在しても、その部分が文字情報１１０に重ならない場合は、ハガキＰに印刷された状態でその文字情報は問題なく視認できる。
【００８７】
・画像配置部６２は、操作部３０からの操作信号に基づいて画像を選択する構成に限定されず、文字情報中のキーワード（例えば住所又は氏名）に基づき住所録を検索し、該当する宛名人に対応する画像を宛名面領域１００に配置する構成でもよい。
【００８８】
・画像配置部６２は、画像Ｉｍｇのサイズが画像配置領域よりも大きい場合には、画像Ｉｍｇを縮小して画像配置領域に配置してもよい。また、画像Ｉｍｇのサイズが画像配置領域に対して所定の割合（例えば６０％）未満と小さ過ぎる場合には、画像Ｉｍｇを適切なサイズ（例えば画像配置領域の８０％以上１００％以下のサイズ）に拡大して画像配置領域に配置してもよい。これらの構成によれば、画像Ｉｍｇを適切なサイズで画像配置領域に配置されるので、その後、ユーザーによる画像Ｉｍｇのサイズ調整を不要にしたり、少しだけサイズを変更するサイズ調整で済ませたりすることができる。
【００８９】
・プレビュー操作と印刷指示をトリガーとして画像処理を行う例としたが、ユーザーが選択した画像Ｉｍｇをコンピューター５０の画像配置部６２が宛名面領域１００に配置する前に、画像処理部６３が画像処理を行って、画像処理後の画像Ｉｍｇ１又はＩｍｇ２を宛名面領域１００に配置する構成としてもよい。例えば、ユーザーによる画像の選択時に「背景」が指定された場合に上記の配置前の画像に画像処理を施してもよい。この構成によれば、図４に示すような濃い画像Ｉｍｇが表示されることなく、宛名面領域１００に画像が配置される最初から画像処理済みの淡い画像Ｉｍｇ１又はＩｍｇ２が配置されるので、淡い画像の適切性を直ぐ判断できる。そのうえ、濃い画像Ｉｍｇが表示された場合には画像を淡くする操作を余儀なくされるが、この種の余分な操作を省略できる。また、画像Ｉｍｇが宛名面領域１００に配置された後、ユーザーが画像を選択して「背景」にする旨の操作がなされた場合に、この操作をトリガーとして印刷濃度を薄くする画像処理を開始してもよい。この場合、ユーザーはプレビュー操作を行ってプレビュー画面にしなくても、編集画面に淡い画像Ｉｍｇ１を表示させることができるので、背景画像としての適切性を編集画面上で見て判断することができる。
【００９０】
・ユーザーが編集画面において画像を編集する度に、コンピューター５０が画像と文字情報１１０との重なりの有無を判定し、画像Ｉｍｇが文字情報１１０と重なったと判定したときに画像に画像処理を施してもよい。例えばユーザーが画像を拡大したためにその拡大した画像が文字情報１１０と重なることになった場合、その判定結果をトリガーとして画像Ｉｍｇに画像処理を施す。また、例えばユーザーが画像を移動させたために画像が文字情報１１０と重なることになった場合、その判定結果をトリガーとして画像Ｉｍｇに画像処理を施す。
【００９１】
・画像Ｉｍｇ１における文字領域１３０と重なる部分に更に印刷濃度を薄くする画像処理を施す第２の画像処理を廃止してもよい。
・画像処理部６３は、画像処理（Ｓ１４，Ｓ１７）において、第２の画像処理（Ｓ２５）だけを画像Ｉｍｇに施してもよい。この構成によれば、画像Ｉｍｇを背景にしても、画像Ｉｍｇのうち重なった文字の周辺部分（例えば文字領域１３０の部分）は淡くなるので、画像Ｉｍｇをそのまま背景にする場合に比べ、文字情報１１０の視認性は向上する。
【００９２】
・第２の画像処理において印刷濃度を薄くする文字領域は、テキストボックス等の文字領域１３０に限定されない。例えば文字を一文字ずつ含む文字領域でもよいし、サイズについても、テキストボックスよりも小さい文字領域や、テキストボックスよりも大きい文字領域を設定してもよい。また、形状についても矩形に限定されず、円、楕円、矩形の長手方向（文字列方向）両端の二辺を外側に凸の円弧に替えた形状でもよい。要するに、文字領域は、画像と重なる文字の周辺を一層淡くすることにより文字の視認性を高められる形状・サイズの領域であれば足りる。
【００９３】
・補正マップＭＡ，ＭＢ，ＭＣは、色調を２５６階調で表示したが、同階調よりも低い階調（例えば、１６階調）であってもよいし、同階調よりも高い階調（例えば５１２階調）であってもよい。
【００９４】
・印刷用データの一例として印刷データは、印刷を目的として印刷制御装置６０から出力されるものであれば、その表色系はＹＭＣＫ表色系に限らず、ＲＧＢ表色系やＹＣｂＣｒ表色系でもよい。ＲＧＢ表色系やＹＣｂＣｒ表色系の印刷データでも、出力先の印刷装置１１Ｂ内でＹＭＣＫ表色系に変換されれば、この印刷装置１１Ｂによって編集後の宛名面をハガキＰに印刷することはできる。また、印刷用データの一例としてプレビューデータは、印刷ドライバーがプレビューのために生成するデータに限らず、印刷結果と同じ内容を印刷前の段階で確認できるものであれば、編集画面に表示させるための表示データでもよい。つまり、図５、図７に示す文字情報１１０と画像Ｉｍｇ１又はＩｍｇ２とが宛名面領域１００に配置された編集画面は、その時点における印刷結果を表すものなので、ここでいうプレビューデータはこの種の宛名面編集画面を表示させるための表示データであってもよい。
【００９５】
・画像Ｉｍｇの明度（例えばＲＧＢ値）を検出して、その明度の検出結果に基づいて画像処理によって薄くする印刷濃度を調整してもよい。画像処理部６３は、例えば明度の検出結果に基づいて閾値Ｔｈ又はマスク画像の透過率を調整する。例えば画像Ｉｍｇの明度が低いほど、閾値Ｔｈを高くし、マスク画像の透過率を低くする。この際、画像Ｉｍｇの明度を検出する方法としては、画像Ｉｍｇの全域で検出した画素のＲＧＢ値の平均値、あるいは画像全体の明度をおおよそ表すとみなしうる複数箇所で検出したＲＧＢ値の平均値を用いる例が挙げられる。
【００９６】
・表示部１７をタッチパネルとし、操作部３０に替え又は操作部３０に加えて、タッチパネルを操作部の一例とする構成でもよい。
・印刷制御装置６０を構成する各機能部を、印刷制御プログラムを実行するＣＰＵ５１によりソフトウェアで実現したが、ＡＳＩＣ等の電子回路によりハードウェアで実現したり、ソフトウェアとハードウェアとの協働により実現したりしてもよい。
【００９７】
・印刷装置１１は、ハガキＰなどの郵便物に印刷することのできるものであれば、インクジェット式プリンター以外の他の印刷装置であってもよい。例えば、印刷装置は、ドットインパクト式やレーザー式のプリンターであってもよいし、複合機であってもよい。さらに、印刷装置は、シリアルプリンター、ラインプリンター又はページプリンターであってもよい。
【００９８】
・印刷装置１１の印刷対象物である郵便物は、ハガキＰに限らず、封筒などの他の郵便物であってもよい。この場合、封筒などの他の郵便物の宛名面の大きさに応じて、文字領域１３０及び画像配置可能領域１４０の範囲を変更することが好ましい。また、郵便物は、郵便局で配達の対象とされる荷物を入れて配達されるものでもよく、例えばパックに手紙や荷物を封入するもの、箱に荷物を詰めたものでもよい。この場合、宛名面は、宛名シール（宛名ラベル）で構成され、宛名シールに宛先情報や差出人情報などの文字情報を印刷した後に、その宛名シールがパック又は箱の所定の場所に貼られて郵便物とされる。この種の郵便物においてパックや箱と分離された状態の宛名シールの宛名面に印刷するものであってもよい。つまり、郵便物の宛名面は、印刷時に郵便物と一体である必要はなく、宛名シールのように郵便物から宛名面を形成する部分が分離されたものであってもよい。なお、本明細書において、郵便物には、宅配便の配達対象物も含まれるものとする。宅配便についてもパック又は箱に貼付して使用される宛名シールの宛名面が「郵便物の宛名面」に相当する。
【符号の説明】
【００９９】
１１…印刷装置、２４…印刷部の一例を構成する搬送モーター、２５…印刷部の一例を構成する印刷ヘッド、４６…印刷部の一例としての印刷エンジン、５０…コンピューター、６０…印刷制御装置、６１…文字配置部、６２…画像配置部、６３…画像処理部、６４…表示処理部、６５…生成部の一例としての印刷データ生成部、６６…記憶部、１００…宛名面領域、１１０…文字情報、１３０…文字領域、ＭＡ，ＭＢ，ＭＣ…補正マップ、Ｉｍｇ…画像（画像処理前）、Ｉｍｇ１…画像（画像処理後）、Ｉｍｇ２…画像（画像処理後）、ＭＳ，ＭＳ１…マスク画像（画像処理用）、ＭＳ２…マスク画像（第２の画像処理用）、Ｐ…郵便物の一例としてのハガキ。
【図１】
2015104821.tif 000003
【図２】
2015104821.tif 000004
【図３】
2015104821.tif 000005
【図４】
2015104821.tif 000006
【図５】
2015104821.tif 000007
【図６】
2015104821.tif 000008
【図７】
2015104821.tif 000009
【図８】
2015104821.tif 000010
【図９】
2015104821.tif 000011
【図１０】
2015104821.tif 000012
【図１１】
2015104821.tif 000013
【図１２】
2015104821.tif 000014
【図１３】
2015104821.tif 000015
【図１４】
2015104821.tif 000016
【図１５】
2015104821.tif 000017